(57)【要約】【課題】  天板を起倒可能に備えるテーブルにおいて、天板を起立して収納する際の収納幅の狭いテーブルを提供する。【解決手段】  脚４と、該脚４の上部に起倒可能に備えた天板２と、該天板２の着席者側と反対側部の下部に配置した幕板２０とを有し、前記幕板２０の上部に、幕板連結部材１６の一端を回転可能に連結し、該幕板連結部材１６の他端を前記天板２の下部に回転可能に連結し、前記天板２を起立した状態において、幕板連結部材１６の一端が、前記天板２と脚４との間に位置しないことにより、前記天板２と脚４との間に幕板２０が位置しない。【選択図】  図５
2013153774.tif 000002
【特許請求の範囲】
【請求項１】
脚と、該脚の上部に起倒可能に備えた天板と、該天板の着席側と反対側部の下部に配置した幕板とを有し、
前記幕板の上部に、幕板連結部材の一端を回転可能に連結し、該幕板連結部材の他端を前記天板の下部に回転可能に連結し、
前記天板を起立した状態において、幕板連結部材の一端が、前記天板と脚との間に位置しないことにより、前記天板と脚との間に幕板が位置しないことを特徴とするテーブル。
【請求項２】
前記幕板連結部材の他端を、連結腕の他端部に回転可能に設け、前記連結腕の一端を、前記天板の裏面に対し、かつ、天板の左右方向を軸として回転可能に設け、付勢手段により前記連結腕の他端を天板方向に付勢したことを特徴とする請求項１記載のテーブル。
【請求項３】
前記幕板連結部材の一端を、前記天板に固設したトーションバーに固設し、該トーションバーの反発力により、前記幕板連結部材の他端を天板方向に付勢することを特徴とする請求項２記載のテーブル。
【発明の詳細な説明】
【技術分野】
【０００１】
本発明は、テーブルに関し、より詳しくは起倒可能に備えた天板を有するテーブルに関する。
【背景技術】
【０００２】
一対の脚を有し、該脚の上部に天板を起倒可能に備え、該天板を起立させることで収納スペースを少なくすることができるフラップテーブルが広く用いられている。近年、着席者の下半身等を、反着席側から見えないように、前記天板の反着席側に幕板を設けることが行われている。
【０００３】
従来、前記フラップテーブルは、その天板を起立させ、前記幕板が脚に近接する際に、幕板と天板との間、もしくは、幕板と脚との間が狭くなり、この狭くなった空間で指等を挟んでしまう恐れがある。そこで、前記天板を起立させた状態において、天板に対して、幕板を前後方向に移動可能に備え、この幕板が前後に移動することにより、幕板と天板との間、若しくは幕板と脚との間の空間を広くすることで、指等の挟みこみを防止したフラップテーブルが知られている（特許文献１参照）。
【先行技術文献】
【特許文献】
【０００４】
【特許文献１】特開２００８−１１０１４７号公報
【発明の開示】
【発明が解決しようとする課題】
【０００５】
前記従来のフラップテーブルにおいては、幕板の一端が、天板と脚との間に位置しているために、起立した天板と脚との間には、幕板の厚み分の空間と、指等の挟みこみを防止する空間を設ける必要がある。
【０００６】
そこで、本発明は、この従来のフラップテーブルと比較して、より収納幅の狭いテーブルを提供することを目的とするものである。
【課題を解決するための手段】
【０００７】
前記の課題を解決するために、請求項１記載の発明は、脚と、該脚の上部に起倒可能に備えた天板と、該天板の着席側と反対側部の下部に配置した幕板とを有し、
前記幕板の上部に、幕板連結部材の一端を回転可能に連結し、該幕板連結部材の他端を前記天板の下部に回転可能に連結し、
前記天板を起立した状態において、幕板連結部材の一端が、前記天板と脚との間に位置しないことにより、前記天板と脚との間に幕板が位置しないことを特徴とするものである。
【０００８】
請求項２記載の発明は、請求項１記載の発明において、前記幕板連結部材の他端を、連結腕の他端部に回転可能に設け、前記連結腕の一端を、前記天板の裏面に対し、かつ、天板の左右方向を軸として回転可能に設け、付勢手段により前記連結腕の他端を天板方向に付勢したことを特徴とするものである。
【０００９】
請求項３記載の発明は、請求項２記載の発明において、前記幕板連結部材の一端を、前記天板に固設したトーションバーに固設し、該トーションバーの反発力により、前記幕板連結部材の他端を天板方向に付勢することを特徴とするものである。
【発明の効果】
【００１０】
本願発明は、幕板の上部に、幕板連結部材の一端を回転可能に連結し、該幕板連結部材の他端を天板の下部に回転可能に連結し、前記天板を起立した状態において、幕板が、前記天板と脚との間に位置しないようにしたことにより、天板と脚と間には、指等の挟みこみを防止する空間のみを設けるだけでよく、天板を起立させて、テーブルを前後方向に重ね合わせて収納する際に、従来技術のフラップテーブルと比較して、収納空間を狭くすることができる。
【図面の簡単な説明】
【００１１】
【図１】本発明の実施例に係るテーブルの天板を倒伏した状態の後面図。
【図２】図１の一部底面図。
【図３】図１の左側面図。
【図４】図１の前側下方から見た斜視図。
【図５】図１の状態から天板を起立した状態の左側面図。
【図６】図１の状態から幕板を下方に移動させた状態の後側上方から見た斜視図。
【図７】図６の前側下方から見た斜視図。
【図８】図６の後面図。
【図９】図６の左側面図。
【図１０】図５の状態から幕板を後方に移動させた状態の左側面図。
【図１１】本発明の実施例に用いるもので、天板に取り付ける前のトーションバーと固定金具と連結腕との関係を示す図。
【図１２】図１１の状態から、天板に取り付けた状態のトーションバーと固定金具と連結腕との関係を示す図。
【図１３】図１２の状態から、幕板を下方に移動させた状態のトーションバーと固定金具と連結腕との関係を示す図。
【図１４】本発明の実施例に用いる配線ダクトと連結腕との関係を示す図。
【図１５】図１４の左側面図。
【発明を実施するための形態】
【００１２】
本発明を実施するための形態を図に基づいて説明する。
図１は、本発明のテーブル１の天板２を倒伏させた状態の反着席側から見た後面図、図２は、テーブル１のキャスタ３を除いた裏面図（なお、配線ダクト２５は二点差線で表してある）、図３はその左側面図を示すものである。以下において、テーブル１の着席側を前Ａ、その反対側を後Ｂとし、前Ａ側からみて右側を右Ｃ、左側を左Ｄとし、天板２側を上側、キャスタ３側を下側として説明する。
【００１３】
前記テーブル１は、図１に示すように、左右に１対の脚４，４を有し、該脚４は、下方に向かうほど後Ｂ方に傾斜する後脚４ａと、該後脚４ａの中央部に上端が連結されるとともに、下方に向かうほど前方に傾斜する前脚４ｂとで構成されている。夫々の脚４ａ，４ｂの下端にはキャスター３が設けられている。
【００１４】
前記左右の後脚４ａ，４ａの上端部には、脚側取付け部６が固設され、左右の脚側取付け部６と６間には棧７が固設されている。左右の脚側取付け部６，６には、天板取付金具８が左右方向の回転軸８ａを中心として回転可能に設けられている。
【００１５】
左右の天板取付金具８，８には天板２が固設され、該天板２は、後脚４ａに対して前記回転軸８ａを中心として起倒可能に設けられている。図１乃至図４に示すように、前記天板２が略水平となる倒伏状態を保持することができるようになっている。また、解除レバー９により、前記天板２の倒伏状態を解除した後に、天板２の後Ｂ側を下方に下げるように天板２を回動させて、図５に示すように、天板２が、後脚４ａと略平行となるまで起立させ、その起立状態を保持することができるようになっている。
【００１６】
天板２の裏面２ａにおける後Ｂ側端部には、付勢手段であるトーションバー１０が左右Ｃ−Ｄ方向に設けられている。該トーションバー１０の左右両側部には、連結腕１１の一端１１ａ部が固設されて、トーションバー１０により、連結腕１１の他端１１ｂは天板２方向に付勢されるようになっている。また、図４に示すように、トーションバー１０の軸方向の中央部に固定金具１３が固設され、トーションバー１０の両側部には、トーションバー１０に対し回転可能な取付具１４，１４が設けられ、該取付具１４は天板２の裏面２ａに固設されている。
【００１７】
金属製の棒状部材１５に対しねじれ力が働いていない状態においては、図１１に示すように、前記固定金具１３の上面（天板２への取付面）１３ａが、前記連結腕１１の他端１１ｂよりも下方に位置し、かつ、連結腕１１の長手方向の軸に対して所定の角度αを有するように、棒状部材１５に対し、左右の連結腕１１と固定金具１３が固設されている。そして、図１２に示すように、この連結腕１１の他端１１ｂを、下方に回動させ、固定金具１３の上面と連結腕１１の長手方向の軸とが略平行となる状態で天板２に対して、固定金具１３を固設することにより、棒状部材１５に、その軸を中心とするねじれ力が付与され、連結腕１１の他端１１ｂは上方に付勢され、棒状部材１５はトーションバー１０として作用する。前記棒状部材１５の径及び材質、及び、前記角度αは、トーションバー１０に求められるトルク力と剪断応力等に応じて任意に設定する。これにより、連結腕１１は、図１２，１３に示すように、連結腕１１の一端１１ａ側を中心として回動できるとともに、トーションバー１０により他端１１ｂ側が、図１２の矢印Ｈで示すように、天板２方向に付勢されている。
【００１８】
連結腕１１の他端１１ｂ部には、幕板連結部材１６の他端部１６ｂが、その左右方向を軸とする回転軸１７を中心に回転可能に連結されている。幕板連結部材１６の一端部１６ａには、幕板２０の上部が、その左右方向を軸とする回転軸１８を中心に回転可能に連結されている。幕板２０は、その左右の側部の上端に、上方が開口する切欠２３を形成し、その切欠２３内に前記幕板連結部材１６の一端部１６ａを挿通して、回転可能に連結されている。天板２が倒伏した状態において、図１に示すように、幕板２０の上端面２０ａと天板２の裏面２ａとの裏面との間には、手を挿入できるだけの空間２２が形成されている。
【００１９】
前記連結腕１１の他端１１ｂが天板２の裏面２ａに接している状態においては、幕板連結部材１６の他端１６ｂ側の回転軸１７は、天板２の後端面近傍に位置するように設けられている。
【００２０】
また、天板２を起立させた状態においては、図５に示すように、幕板連結部材１６の一端１６ａ側の回転軸１８、すなわち、幕板２０の上端部は、天板２の裏面２ａと、後脚４ａの後面４ｃとの間には位置せず、天板２の下方に位置するようになっている。
【００２１】
これにより、幕板２０は、天板２と脚４との対向空間には位置せず、天板２とは当接することなく、幕板連結部材１６により前後方向に移動することができるようになっている。
【００２２】
幕板２０の下部には、連結金具２１の一端が、その左右方向を軸とする回転軸を中心に回転可能に連結され、該連結金具２１の他端は、後脚４ａの上下方向の中間部に対し、その左右方向を軸とする回転軸を中心に回転可能に連結されている。
【００２３】
前記左右の連結腕１１，１１には、パソコンの電源コード・配線・ケーブル等や、電源タップ（コンセント）等を収納できるダクトである配線ダクト２５が固設されている。配線ダクト２５は、図１４，１５に示すように、左右の側板２５ａ，２５ａと、側板２５ａ，２５ａ間に架設された前板２５ｂと、後板２５ｃと、底板２５ｄで構成され、その内部に上方が開口する収納空間が形成されている。左右の側板２５ａ，２５ａが、夫々左右の連結腕１１，１１に固設されている。また、前板２５ｂと後板２５ｃの上端と天板２の裏面２ａとの間には、配線ダクト２５内に、配線やコンセント等を挿入するための開口部２６，２７が形成されている。
【００２４】
これにより、図１５に示すように、連結腕１１が一端１１ａ側を中心として、上下方向に回動する際に、一緒に配線ダクト２５も前後方向に揺動する。天板２を倒伏し、連結腕１１が略水平の状態では、図１５の実線で示すように底板２５ｄが略水平の状態となり、連結腕１１の他端１１ｂが下方に回動した状態では、図１５の破線で示すように底板２５ｄが傾いた状態となる。
【００２５】
天板２を倒伏した図１の状態から、幕板２０と天板２との間の空間２２に手を挿入して、図８，９に示すように、幕板２０を下方に押し下げると、連結腕１１が一端１１ａ側を中心として、その他端１１ｂが下方に移動し、幕板２０と天板２との間の空間２２が広がる。また、配線ダクト２５も、図６，９に示すように、連結腕１１とともに傾き、後板２５ｃと天板２の裏面２ａとの開口部２６における後板２５ｃの上端と天板裏面との距離（開口面積）が広がる。これにより、幕板２０と天板２との間の空間２２、及び、開口部２６を通じて、配線ダクト２５内への配線やコンセント等の収納・取出しや、配線ダクト２５内でのパソコン等のコードやケーブルの配線等が行いやすくなる。
【００２６】
配線ダクト２５内の作業が終了し、幕板２０を下方へ押し下げることをやめれば、トーションバー１０の反発力により、連結腕１１の他端１１ｂが、上方へ付勢されて、幕板２０が上方へ移動し、幕板２０と天板２との間の空間２２が狭くなるとともに配線ダクト２５も略水平状態となり、配線ダクト２５等が、反着席側からは見えにくくなる。
【００２７】
また、トーションバー１０により、連結腕１１の他端１１ｂ、すなわち、幕板２０を天板２方向に付勢したことにより、構造を簡略化できるとともに、部品点数を少なくし、製作コストを削減できる。
【００２８】
また、天板２を起立した状態において、幕板２０の上端部は、天板２の裏面２ａと、後脚４ａの後面４ｃとの間には位置せず、天板２の下方に位置し、幕板連結部材１６の両端が、幕板２０の上端部と、連結腕１１の他端１１ｂとに、それぞれ回転可能に連結されていることにより、図５，１０に示すように、幕板２０が前後方向に揺動することができる。これにより、幕板２０と後脚４ａとの間に空間を形成することができ、天板２を倒伏状態から起立させる際などにおいて、指等を挟みこむことを防止できる。
【００２９】
更に、天板２を起立した状態において、幕板２０の上端部は、天板２の裏面２ａと、後脚４ａの後面４ｃとの間には位置せず、幕板２０を前後方向に揺動できるようにしたことにより、天板２の裏面２ａと後脚４ａとの間には、指等を挟みこむことを防止できる空間を形成するだけでよいため、前記従来技術のフラップテーブルと比較して、フラップテーブルを前後に重ね合わせて収納した際の収納幅（空間）を狭くできる。
【００３０】
［その他の実施例］
前記実施例１のトーションバー１０と連結腕１１と配線ダクト２５を設けず、天板２の裏面２ａの後端部に、取付金具を固設し、該取付金具に対し、幕板連結部材１６の他端１６ｂを、左右方向の軸を中心として回転可能に取り付け、天板２を起立した状態において、天板２と後脚４ａとの間に、幕板連結部材１６の一端１６ａ、すなわち、幕板２０の上端が位置しないようにしてもよい。
【００３１】
前記実施例１では、配線ダクト２５を連結腕１１に固設したが、配線ダクト２５を天板２の裏面２ａに固設し、幕板２０の上下動に連動して配線ダクト２５が傾かないようにしてもよい。
【００３２】
前記実施例１では、付勢手段としてトーションバー１０を用い、該トーションバー１０により、連結腕１１の他端１１ｂを天板方向に付勢したが、連結腕１１の他端１１ｂを天板２方向に付勢できれば、バネ材等の任意の付勢手段を用いてもよい。
【符号の説明】
【００３３】
１  テーブル（フラップテーブル）
２  天板
４  脚
１０  付勢手段（トーションバー）
１１  連結腕
１６  幕板連結部材
２０  幕板
【図１】
2013153774.tif 000003
【図２】
2013153774.tif 000004
【図３】
2013153774.tif 000005
【図４】
2013153774.tif 000006
【図５】
2013153774.tif 000007
【図６】
2013153774.tif 000008
【図７】
2013153774.tif 000009
【図８】
2013153774.tif 000010
【図９】
2013153774.tif 000011
【図１０】
2013153774.tif 000012
【図１１】
2013153774.tif 000013
【図１２】
2013153774.tif 000014
【図１３】
2013153774.tif 000015
【図１４】
2013153774.tif 000016
【図１５】
2013153774.tif 000017